(57)【特許請求の範囲】
【請求項１】
本体に対して引き出し可能に設けられるとともに、棒金を収納する棒金収納部と、紙葉類または棒金以外の硬貨の少なくとも一方を収納する補助収納部とを有する収納ドロアと、
前記補助収納部へ硬貨または紙葉類を投入するための貨幣投入用スリットと、
を備えたことを特徴とする補助保管装置。
【請求項２】
前記補助収納部は複数個の収納部を有し、少なくとも一つの収納部は前記収納ドロアの引き出し方向側に配置され、
前記貨幣投入用スリットは、前記収納ドロアの正面壁に設けられることを特徴とする請求項１に記載の補助保管装置。
【請求項３】
前記貨幣投入用スリットが複数個設けられることを特徴とする請求項１または２のいずれかに記載の補助保管装置。
【請求項４】
前記貨幣投入用スリットとして、複数個の硬貨投入用スリットが水平方向に沿って設けられることを特徴とする請求項３に記載の補助保管装置。
【請求項５】
前記貨幣投入用スリットとして、硬貨投入用スリットと紙葉類投入用スリットが設けられることを特徴とする請求項３又は４のいずれかに記載の補助保管装置。
【請求項６】
前記貨幣投入用スリットに、硬貨または紙葉類が投入されたことを検知するための投入検知手段が設けられていることを特徴とする請求項１乃至５のいずれか１項に記載の補助保管装置。
【発明の詳細な説明】
【技術分野】
【０００１】
本発明は、棒金を収納して保管する補助保管装置と、このような補助保管装置と釣銭を処理する釣銭機とを有する釣銭機システムに関する。
【背景技術】
【０００２】
従来、収納庫本体と、この収納庫本体に対して引出し自在に設けられ、特定金種の棒金硬貨をそれぞれ１本ずつ収納可能な複数の棒金収納部が設けられた棒金ドロアと、この棒金ドロアの棒金収納部ごとに棒金硬貨の有無を検知する棒金有無検知手段と、この有無検知手段による検知結果を硬貨釣銭機へ送信する検知結果送信手段と、を備えた棒金収納庫が知られている（特許文献１参照）。
【特許文献１】特開２００６−８５３３２
【発明の開示】
【発明が解決しようとする課題】
【０００３】
しかしながら、従来の棒金収納庫には、棒金のみを収納するスペースしかなく、棒金以外のものを収納するスペースがなかった。
【０００４】
本発明は、このような点を考慮してなされたものであり、紙葉類や棒金以外の硬貨を容易に収納することができ、投入された貨幣の枚数を把握することができ、補助収納部内に収納された貨幣を管理することができる補助保管装置および釣銭機システムを提供することを目的とする。
【課題を解決するための手段】
【０００５】
本発明の第１の態様による補助保管装置は、
棒金を収納する補助保管装置において、
収納筐体と、
前記収納筐体に対して引き出し自在に設けられるとともに、棒金を収納する棒金収納部と、該棒金収納部に対して引き出し方向側に配置され、棒金以外の硬貨を収納する硬貨収納部を含む補助収納部とを有する収納ドロアと、
を備え、
前記収納ドロアの正面壁のうち前記硬貨収納部に対応する位置に、硬貨を投入するための硬貨投入用スリットが設けられている。
【０００６】
本発明の第１の態様による補助保管装置において、
前記硬貨収納部は二つ設けられ、
前記硬貨投入用スリットは、水平方向に沿って二つ存在し、
一方の硬貨収納部に対応する位置に一方の硬貨投入用スリットが設けられ、
他方の硬貨収納部に対応する位置に他方の硬貨投入用スリットが設けられていることが好ましい。
【０００７】
本発明の第１の態様による補助保管装置において、
前記硬貨投入用スリットに、硬貨の投入を検知するための投入検知手段が設けられていることが好ましい。
【０００８】
本発明の第１の態様による補助保管装置において、
前記硬貨投入用スリットのうちの一つを覆うスリット蓋が設けられていることが好ましい。
【０００９】
本発明の第１の態様による補助保管装置において、
二つの硬貨収納部が設けられ、一方の硬貨収納部に対応する位置に一方の硬貨投入用スリットが設けられ、他方の硬貨収納部に対応する位置に他方の硬貨投入用スリットが設けられ、一方の硬貨収納部はオーバーフロー硬貨を収納するために用いられ、他方の硬貨収納部はリジェクト硬貨を収納するために用いられることが好ましい。
【００１０】
本発明の第１の態様による補助保管装置において、
前記補助収納部は、紙葉類または棒金以外の硬貨を収納し、
前記補助収納部内の紙葉類または棒金以外の硬貨について有無検知を行う検知センサが設けられたことが好ましい。
【００１１】
本発明の第１の態様による釣銭機システムは、
釣銭に関する処理を行う釣銭機と、
前記釣銭機の下方に配置され、棒金を収納する補助保管装置と、を備え、
前記補助保管装置が、
収納筐体と、
前記収納筐体に対して引き出し自在に設けられるとともに、棒金を収納する棒金収納部と、棒金以外の硬貨を収納する硬貨収納部を含む補助収納部とを有する収納ドロアと、
を有し、
前記収納ドロアの正面壁のうち前記硬貨収納部に対応する位置に、硬貨を投入するための硬貨投入用スリットが設けられている。
【００１２】
本発明の第１の態様による釣銭機システムにおいて、
前記硬貨収納部は二つ設けられ、前記硬貨投入用スリットは、水平方向に沿って二つ存在し、一方の硬貨収納部に対応する位置に一方の硬貨投入用スリットが設けられ、他方の硬貨収納部に対応する位置に他方の硬貨投入用スリットが設けられていることが好ましい。
【００１３】
本発明の第１の態様による釣銭機システムにおいて、
前記釣銭機は正面側に突出した突出部を有し、一方の硬貨投入用スリットは、前記釣銭機の突出部の下方近傍に位置するとともに、スリット蓋で覆われていることが好ましい。
【００１４】
本発明の第１の態様による釣銭機システムにおいて、
前記釣銭機は、硬貨を処理する硬貨用釣銭機を有し、一方の硬貨投入用スリットは、前記硬貨用釣銭機の下方に位置し、他方の硬貨投入用スリットは、スリット蓋で覆われていることが好ましい。
【００１５】
本発明の第２の態様による補助保管装置は、
棒金を収納する補助保管装置において、
収納筐体と、
前記収納筐体に対して引き出し自在に設けられるとともに、棒金を収納する棒金収納部と、該棒金収納部に対して引き出し方向側に配置され、紙葉類または棒金以外の硬貨の少なくとも一方を収納する補助収納部とを有する収納ドロアと、
を備え、
前記収納ドロアの正面壁のうち前記補助収納部に対応する位置に、貨幣を投入するための貨幣投入用スリットが設けられ、
前記貨幣投入用スリットから投入される貨幣を検知する投入検知手段が設けられ、
前記投入検知手段からの検知結果を記憶する記憶部が設けられている。
【００１６】
本発明の第２の態様による補助保管装置において、
前記補助収納部内の紙葉類または棒金以外の硬貨について有無検知を行う検知センサが設けられたことが好ましい。
【００１７】
本発明の第２の態様による釣銭機システムは、
外部装置と、
釣銭に関する処理を行う釣銭機と、
前記釣銭機の下方に配置され、棒金を収納する補助保管装置と、
を備え、
前記外部装置および前記釣銭機のうちのいずれかは、貨幣の枚数を入力することができ、
前記補助保管装置は、
収納筐体と、
前記収納筐体に対して引き出し自在に設けられるとともに、棒金を収納する棒金収納部と、紙葉類または棒金以外の硬貨の少なくとも一方を収納する補助収納部とを有する収納ドロアと、を有し、
前記収納ドロアの正面壁のうち前記補助収納部に対応する位置に、貨幣を投入するための貨幣投入用スリットが設けられ、
前記貨幣投入用スリットから投入される貨幣を検知する投入検知手段が設けられ、
前記投入検知手段からの検知結果に基づく貨幣の枚数を記憶する記憶部が設けられ、
前記外部装置または前記釣銭機で入力された貨幣の枚数を記憶部に記憶させる制御部が設けられている。
【００１８】
本発明の第２の態様による釣銭機システムにおいて、
前記制御部は、前記記憶部に記憶された、前記投入検知手段による検知結果に基づく貨幣の枚数と、前記外部装置または前記釣銭機で入力された貨幣の枚数とが一致しない場合に、一致しない旨を出力することが好ましい。
【００１９】
本発明の第２の態様による釣銭機システムにおいて、
前記外部装置は、前記記憶部に記憶された、前記投入検知手段による検知結果に基づく貨幣の枚数と、前記外部装置または前記釣銭機で入力された貨幣の枚数とが一致しない場合に、一致しない旨を出力することが好ましい。
【００２０】
本発明の第２の態様による釣銭機システムにおいて、
前記釣銭機は、前記記憶部に記憶された、前記投入検知手段による検知結果に基づく貨幣の枚数と、前記外部装置または前記釣銭機で入力された貨幣の枚数とが一致しない場合に、一致しない旨を出力することが好ましい。
【発明の効果】
【００２１】
本発明によれば、棒金以外の収納スペース（補助収納部）を設けたので、紙葉類や棒金以外の硬貨を収納することができる。また、収納ドロアの正面壁のうち前記硬貨収納部に対応する位置に、硬貨を投入するための硬貨投入用スリットが設けられているので、棒金以外の硬貨を容易に収納することができる。さらに、貨幣投入用スリットから投入される貨幣を検知する投入検知手段と、投入検知手段と通信可能であり、投入検知手段からの検知結果を記憶する記憶部とが設けられているので、投入された貨幣の枚数を把握することができ、補助収納部内に収納された貨幣を管理することができる。
【発明を実施するための形態】
【００２２】
第１の実施の形態
以下、本発明に係る補助保管装置１および釣銭機システムの第１の実施の形態について、図面を参照して説明する。ここで、図１乃至図５は本発明の第１の実施の形態を示す図である。
【００２３】
本発明の補助保管装置１は、棒金と、紙葉類および棒金以外の硬貨を収納するために用いられる。この補助保管装置１は、図１および図４に示すように、収納筐体２と、収納筐体２に対して引き出し自在に設けられる収納ドロア３と、を備えている。
【００２４】
このうち、収納ドロア３は、図１および図４に示すように、棒金を収納する棒金収納部５と、当該棒金収納部５に対して引き出し方向側に配置された補助収納部１０とを有している。
【００２５】
また、図１および図４に示すように、補助収納部１０は、現金以外の紙葉類を収納する現金外紙葉類収納部１２と、予備紙幣を収納する予備紙幣収納部１１と、予備硬貨を収納する予備硬貨収納部１３と、オーバーフロー硬貨やリジェクト硬貨などを収納する硬貨収納部１６，１７と、を有している。なお、現金以外の紙葉類とは、例えば小切手や商品券などのことを意味する。また、オーバーフロー硬貨とは、後述する硬貨用釣銭機５５の収容量が満たされ、処理を継続するため硬貨用釣銭機５５から回収した一部の硬貨のことを意味し、リジェクト硬貨とは、汚損などが原因で硬貨用釣銭機５５において識別することができず、リジェクトされた硬貨のことを意味する。
【００２６】
また、図１および図４に示すように、収納ドロア３の正面壁のうち硬貨収納部１６，１７に対応する二箇所の位置には、硬貨を投入するための硬貨投入用スリット１６ａ，１７ａが設けられている。また、収納ドロア３の正面壁のうち現金外紙葉類収納部１２に対応する位置には、現金外紙葉類を投入するための紙葉類投入用スリット１２ａが設けられている。
【００２７】
ここで、硬貨投入用スリット１６ａ，１７ａと紙葉類投入用スリット１２ａによって貨幣投入用スリットが構成されている。なお、本願において貨幣投入用スリットとは、硬貨または紙幣を投入するためのスリットのことを意味しており、本実施の形態では、硬貨投入用スリット１６ａ，１７ａおよび紙葉類投入用スリット１２ａの両方を、意味している。
【００２８】
また、図４に示すように、硬貨投入用スリット１６ａ，１７ａの各々には、制御部４０に接続され、硬貨の投入を検知するための投入検知手段６１，６２が設けられている。また、図４に示すように、紙葉類投入用スリット１２ａには、制御部４０に接続され、紙葉類の投入を検知するための投入検知手段６５が設けられている。
【００２９】
また、図２に示すように、補助保管装置１上には、釣銭に関する処理を行う釣銭機５０，５５が載置されている。この釣銭機５０，５５は、硬貨を処理する硬貨用釣銭機５５と、紙幣を処理する紙幣用釣銭機５０とからなっている。このうち、硬貨用釣銭機５５は、正面側に突出した硬貨排出口（突出部）５６を有している。なお、この硬貨排出口５６の下方には一方の硬貨投入用スリット１７ａが位置しており、この硬貨投入用スリット１７ａはスリット蓋６９で覆われている。
【００３０】
なお、このスリット蓋６９は取り外し自在になっており、使用態様に合わせて、他方の硬貨投入用スリット１６ａを覆うようにしてもよく（図５参照）、一方の硬貨投入用スリット１７ａと他方の硬貨投入用スリット１６ａとを選択的に使用することができる。このため、例えば、図５に示すように、硬貨用釣銭機５５の硬貨排出口５６の大きさが比較的小さい場合には、一方の硬貨投入用スリット１７ａをスリット蓋６９で覆う代わりに、他方の硬貨投入用スリット１６ａをスリット蓋６９で覆ってもよい。
【００３１】
また、図４において、制御部４０は、紙幣用釣銭機５０を介して、ＰＯＳレジスタ（外部装置）７０に連結されている。なお、このＰＯＳレジスタ７０は、図４に示すように、ストアコントローラ７５と通信可能となっており、ストアコントローラ７５へ信号を送信したり、ストアコントローラ７５から信号を受信したりする。さらに、このストアコントローラ７５は、図４に示すように、ホストコンピュータ８０と通信可能となっており、ホストコンピュータ８０へ信号を送信したり、ホストコンピュータ８０から信号を受信したりする。
【００３２】
なお、硬貨投入用スリット１６ａ，１７ａをスリット蓋６９で覆うことなく、両方の硬貨投入用スリット１６ａ，１７ａを使用することもできる。このときには、例えば、一方の硬貨収納部１７をオーバーフロー硬貨を収納するために用い、この硬貨収納部１７に一方の硬貨投入用スリット１７ａからオーバーフロー硬貨を投入するようにし、他方の硬貨収納部１６をリジェクト硬貨を収納するために用い、この硬貨収納部１６に他方の硬貨投入用スリット１６ａからリジェクト硬貨を投入するようにしてもよい。
【００３３】
次に、このような構成からなる本実施の形態の作用について述べる。
【００３４】
最初に、硬貨投入用スリット１６ａ，１７ａにスリット蓋６９が取り付けられておらず、両硬貨投入用スリット１６ａ，１７ａを用いることができる態様を用いて説明する（図１参照）。
【００３５】
このように両硬貨投入用スリット１６ａ，１７ａを用いることができる場合には、硬貨投入用スリット１６ａ，１７ａを介して、容易に硬貨を硬貨収納部１６，１７に投入することができる。このため、オーバーフロー硬貨やリジェクト硬貨などを、容易に硬貨収納部１６，１７に収納させることができる。このときには、硬貨投入用スリット１６ａ，１７ａを、収納される硬貨の種類（オーバーフロー硬貨やリジェクト硬貨などの種類）に合わせて選択的に用いることができる。
【００３６】
また、硬貨投入用スリット１６ａ，１７ａの各々には、硬貨の投入を検知するための投入検知手段６１，６２が設けられている。このため、オーバーフロー硬貨やリジェクト硬貨などの硬貨が硬貨投入用スリット１６ａ，１７ａを介して投入されると、このことを制御部４０に認識させることができる。また、同様に、紙葉類投入用スリット１２ａには、紙葉類の投入を検知するための投入検知手段６５が設けられている。このため、現金外紙葉類が紙葉類投入用スリット１２ａを介して投入されると、このことを制御部４０に認識させることができる。
【００３７】
なお、このように、両硬貨投入用スリット１６ａ，１７ａを用いる場合でも、硬貨投入用スリット１６ａ，１７ａの一方のみに（例えば、リジェクト硬貨が投入される硬貨投入用スリット１６ａのみに）、投入検知手段６１を設けてもよい。このように、投入検知手段６１を一方のみに設けることによって、投入の有無についての必要最小限の情報（例えば、リジェクト硬貨の投入の有無についての情報）を収集しつつ、補助保管装置１の製造コストを抑えることができる。
【００３８】
次に、硬貨投入用スリット１６ａ，１７ａの一方に、スリット蓋６９が取り付けられた態様を用いて説明する（図２、図３および図５参照）。
【００３９】
本実施の形態によれば、硬貨投入用スリット１６ａ，１７ａにスリット蓋６９を選択的に取り付けることができる。このため、補助保管装置１の利用態様に応じて、用いる硬貨投入用スリット１６ａ，１７ａを選択することができる。
【００４０】
例えば、硬貨用釣銭機５５が、正面側に突出した比較的大きな硬貨排出口５６を有している場合には、この硬貨排出口５６の下方の硬貨投入用スリット１７ａをスリット蓋６９で覆って、他方の硬貨投入用スリット１６ａのみを用いればよい（図２参照）。
【００４１】
このように、硬貨排出口５６の下方に位置していない方の硬貨投入用スリット１６ａを用いることによって、釣銭機システムの操作性を向上させることができる。すなわち、硬貨用釣銭機５５の硬貨排出口５６が比較的大きい場合には、この硬貨排出口５６の下方に位置する硬貨投入用スリット１７ａを用いようとしても、硬貨排出口５６が邪魔になる。これに対して、硬貨排出口５６の下方に位置していない方の硬貨投入用スリット１６ａを用いることによって、このように硬貨排出口５６が邪魔になることがなくなるので、釣銭機システムの操作性を向上させることができるのである。
【００４２】
他方、例えば、硬貨用釣銭機５５が、正面側に突出した比較的小さな硬貨排出口５６を有している場合には、この硬貨排出口５６の下方の硬貨投入用スリット１７ａのみを用い、他方の硬貨投入用スリット１６ａをスリット蓋６９で覆えばよい（図５参照）。
【００４３】
このように、硬貨排出口５６の下方に位置する硬貨投入用スリット１７ａを用いることによって、釣銭機システムの操作性を向上させることができる。すなわち、硬貨用釣銭機５５の硬貨排出口５６が比較的小さい場合には、この硬貨排出口５６の下方に位置する硬貨投入用スリット１７ａを用いても、硬貨排出口５６は邪魔にならない。他方、リジェクト硬貨などは硬貨排出口５６を介して排出されるので、このようなリジェクト硬貨などを、近傍に位置する硬貨投入用スリット１７ａからすぐに投入することができる。このため、釣銭機システムの操作性を向上させることができるのである。
【００４４】
なお、硬貨用釣銭機５５が正面側に突出した部材を有していない場合（硬貨排出口５６が突出していない場合など）にも、上述のように、硬貨排出口５６の下方の硬貨投入用スリット１７ａのみを用い、他方の硬貨投入用スリット１６ａをスリット蓋６９で覆うことによって、釣銭機システムの操作性を向上させることができる。
【００４５】
ところで、補助保管装置１の利用態様に応じて用いる硬貨投入用スリット１６ａ，１７ａを選択する場合としては、上述のように硬貨排出口５６の大きさだけに依存するものではない。例えば、釣銭機システムの配置位置にも依存し、壁に隣接して釣銭機システムが配置される場合などには、壁側の硬貨投入用スリット１６ａ，１７ａをスリット蓋６９で覆い、壁とは逆側に位置する硬貨投入用スリット１７ａ，１６ａのみを用いるようにすればよい。
【００４６】
また、本実施の形態によれば、図４に示すように、硬貨投入用スリット１６ａ，１７ａの各々に、硬貨の投入を検知するための投入検知手段６１，６２が設けられている。このため、上述のように、用いる硬貨投入用スリット１６ａ，１７ａを自由に選択しても、オーバーフロー硬貨やリジェクト硬貨などの硬貨の投入を、制御部４０に認識させることができる。
【００４７】
第２の実施の形態
次に、図６により、本発明の第２の実施の形態について説明する。図６に示す第２の実施の形態は、補助収納部１０内の紙葉類および棒金以外の硬貨について有無検知を行う検知センサを設けたものであり、その他の構成は図１乃至図５に示す第１の実施の形態と略同一である。
【００４８】
図６に示す第２の実施の形態において、図１乃至図５に示す第１の実施の形態と同一部分には同一符号を付して詳細な説明は省略する。
【００４９】
図６に示すように、予備硬貨収納部１３には、当該予備硬貨収納部１３内に硬貨が収納されていないかの有無検知を行う検知センサ２１ａ，２１ｂが設けられ、収納筐体２の下面内方であって収納ドロア３が閉鎖位置にあるときの予備紙幣収納部１１の下方の位置には、当該予備紙幣収納部１１内に予備紙幣が収納されていないかの有無検知を行う反射式の検知センサ２２ａ，２２ｂが設けられ、収納筐体２の下面内方であって収納ドロア３が閉鎖位置にあるときの現金外紙葉類収納部１２の下方の位置には、当該現金外紙葉類収納部１２内に現金外紙葉類が収納されていないかの有無検知を行う反射式の検知センサ２３ａ，２３ｂが設けられている。また、予備紙幣収納部１１の下面であって（収納ドロア３が閉鎖位置にあるときに）検知センサ２２ａ，２２ｂに対応する位置にはスリット３７が設けられ、現金外紙葉類収納部１２の下面であって（収納ドロア３が閉鎖位置にあるときに）検知センサ２３ａ，２３ｂに対応する位置にはスリット３８が設けられている。
【００５０】
また、図７に示すように、収納筐体２の下面内方には光を発光する発光部２６ａが設けられ、収納筐体２の上面内方には発光部２６ａによって発光された光を受光する受光部２６ｂが設けられている。また、図６に示すように、棒金収納部５の下面にはスリット３１，３２，３３が設けられており、発光部２６ａから発光された光は、このスリット３１，３２，３３内を通過することができる。すなわち、センサ２６ａ，２６ｂは、スリット３１，３２，３３に対応する箇所（三箇所）に設けられており、発光部２６ａから発光された光は、各スリット３１，３２，３３内を通過できるようになっている。ところで、図７は、棒金収納庫１に収納された棒金を検知するためのセンサ２６ａ，２６ｂを示す概略縦断面図である。
【００５１】
また、収納ドロア３と収納筐体２との間には、制御部４０に接続されたロータリエンコーダ（変位検出手段）２９が設けられており、収納ドロア３の収納筐体２に対する位置を検出することができるようになっている。
【００５２】
そして、図６において、制御部４０は、検知センサ２１ａ−２３ｂからの信号を受けて、予備硬貨収納部１３、予備紙幣収納部１１および現金外紙葉類収納部１２の各々についての有無検知の結果をＰＯＳレジスタ７０に送信する。このため、操作者は、補助収納部１０内の棒金以外の硬貨や紙葉類の有無を容易に認識することができ、補助収納部１０内の回収忘れを防止することができる。
【００５３】
また、制御部４０は、ロータリエンコーダ２９とセンサ２６ａ，２６ｂから得られる情報に基づいて、棒金の直径を検出し、金種の判定を行うとともに、この判定結果をＰＯＳレジスタ７０に送信する。このため、操作者は、棒金収納部５内に収納された棒金については、棒金の有無だけでなく金種についても、容易に認識することができる。
【００５４】
第３の実施の形態
次に、図８および図９により、本発明の第３の実施の形態について説明する。図８および図９に示す第３の実施の形態は、投入検知手段６１，６２，６５およびＰＯＳレジスタ７０と通信可能であり、投入検知手段６１，６２，６５からの検知結果に基づく貨幣の枚数と、ＰＯＳレジスタ７０で入力されてこのＰＯＳレジスタ７０から受信された貨幣の枚数とを記憶することができる記憶部４５が設けられたものであり、その他の構成は図６および図７に示す第２の実施の形態と略同一である。
【００５５】
図８および図９に示す第３の実施の形態において、図６および図７に示す第２の実施の形態と同一部分には同一符号を付して詳細な説明は省略する。
【００５６】
図８において、記憶部４５は、投入検知手段６１，６２，６５およびＰＯＳレジスタ７０と通信可能であり、投入検知手段６１，６２，６５からの検知結果に基づく貨幣の枚数と、ＰＯＳレジスタ７０から受信された貨幣の枚数とを記憶することができる。そして、投入検知手段６１，６２，６５による検知結果に基づく貨幣の枚数と、ＰＯＳレジスタ７０から受信された貨幣の枚数とが一致しない場合には、制御部４０によって、一致していないことを示すフラグが、補助保管装置１の記憶部４５、紙幣用釣銭機５０の記憶部（図示せず）、硬貨用釣銭機５５の記憶部（図示せず）などに記録されたログにたてられる。
【００５７】
このため、本実施の形態によれば、紙幣用釣銭機５０や硬貨用釣銭機５５で認識することができずリジェクトされた貨幣を追跡することができる。すなわち、従来であれば、紙幣用釣銭機５０や硬貨用釣銭機５５で認識されずリジェクトされた貨幣は、手入力によってＰＯＳレジスタ７０から入力されるだけであった。
【００５８】
これに対して、本実施の形態によれば、手入力によってＰＯＳレジスタ７０から入力された貨幣の枚数と、投入検知手段６１，６２，６５によって検知された貨幣の枚数とを比較するとともに、これらの枚数が一致していない場合にはフラグがたてられる。このため、補助保管装置１に収納された貨幣の総額と、ＰＯＳレジスタ７０で入力されてこのＰＯＳレジスタ７０から受信された貨幣の総額とが一致しない場合に、どの時間帯での作業に不備があった可能性が高いかを、容易に確認することができる。
【００５９】
具体的な例を、ログを示した図９を用いて説明する。なお、以下の説明では、硬貨投入用スリットとして硬貨投入用スリット１６ａを用いた態様によって説明する。
【００６０】
図９に示すように、１０：１０に、３００円分の硬貨が硬貨用釣銭機５５に入金され、１０００円分の紙幣が紙幣用釣銭機５０に入金されたことが分かる。そして、このとき、２枚の１０円硬貨がリジェクトされて硬貨排出口５６へ排出されたことがわかる。
【００６１】
また、１０：１１に、２枚の１０円硬貨を補助保管装置１内に投入したことがＰＯＳレジスタ７０から入力され、１０：１２に、１枚の硬貨が硬貨投入用スリット１６ａから硬貨収納部１６内に投入されたことが分かる。そして、このように、ＰＯＳレジスタ７０から入力された貨幣の枚数（２枚）と、投入検知手段６１によって検知された貨幣の枚数（１枚）とを比較するとともに、これらの枚数が一致しないのでフラグがたてられる（図９では、投入検知の硬貨の欄に○が表示されている）。
【００６２】
このため、操作者は、１０：１２の作業で、補助保管装置１に収納された貨幣の総額とＰＯＳレジスタ７０から入力された貨幣の総額とが一致しない原因となる作業が行われた可能性が高いことを、容易に認識することができる。
【００６３】
なお、ＰＯＳレジスタ７０から入力された貨幣の枚数と、投入検知手段６１，６２，６５によって検知された貨幣の枚数が一致しない場合とは、ＰＯＳレジスタ７０から手入力がされた時点から、所定の時間範囲内（例えば、２分以内）に投入検知手段６１，６２，６５によって検知された貨幣の枚数が、ＰＯＳレジスタ７０から手入力された枚数と一致しない場合のことを意味している。
【００６４】
ところで、上述した本実施の形態では、二つの硬貨投入用スリット１６ａ，１７ａが設けられている態様を用いて説明したが、これに限られることなく、硬貨投入用スリット１６ａ，１７ａが一つだけ設けられていてもよい。また、紙葉類投入用スリット１２ａのみが設けられ、硬貨投入用スリット１６ａ，１７ａが設けられていなくてもよく、反対に、硬貨投入用スリット１６ａ，１７ａのみが設けられ、紙葉類投入用スリット１２ａが設けられていなくてもよい。
【００６５】
上記では、ＰＯＳレジスタ７０として貨幣の枚数を入力することができるものを用いて説明したが、これに限られることなく、例えば、ＰＯＳレジスタ７０が貨幣の枚数が入力可能となる代わりに、釣銭機５０，５５として貨幣の枚数を入力することができるものを用いてもよい。
【００６６】
また、上記では、制御部４０によって、記憶部４５に記憶された、ＰＯＳレジスタ７０から受信した貨幣の枚数と、投入検知手段６１，６２，６５によって検知された貨幣の枚数が一致しているか否かが判断される態様を用いて説明した。しかしながら、これに限られることなく、例えば、ＰＯＳレジスタ７０が、記憶部４５に記憶された、ＰＯＳレジスタ７０から受信した貨幣の枚数と、投入検知手段６１，６２，６５によって検知された貨幣の枚数が一致しているか否かを判断してもよいし、釣銭機５０，５５が、記憶部４５に記憶された、ＰＯＳレジスタ７０から受信した貨幣の枚数と、投入検知手段６１，６２，６５によって検知された貨幣の枚数が一致しているか否かを判断してもよい。
【００６７】
さらに、上記のように、ＰＯＳレジスタ７０が貨幣の枚数が入力可能となる代わりに、釣銭機５０，５５として貨幣の枚数を入力することができるものを用いた場合には、ＰＯＳレジスタ７０が、記憶部４５に記憶された、釣銭機５０，５５から受信した貨幣の枚数と、投入検知手段６１，６２，６５によって検知された貨幣の枚数が一致しているか否かを判断してもよいし、釣銭機５０，５５が、記憶部４５に記憶された、釣銭機５０，５５から受信した貨幣の枚数と、投入検知手段６１，６２，６５によって検知された貨幣の枚数が一致しているか否かを判断してもよい。
【００６８】
ところで、上記では、補助保管装置１が、投入検知手段６１，６２，６５からの検知結果に基づく貨幣の枚数と、ＰＯＳレジスタ７０または釣銭機５０，５５から受信した貨幣の枚数とを記憶する記憶部４５と、これらの貨幣の枚数を記憶部４５に記憶させる制御部４０を有する態様を用いて説明した。しかしながら、これに限られることなく、例えば、ＰＯＳレジスタ７０が、このような機能を果たす記憶部と制御部を有していたり、釣銭機５０，５５が、このような機能を果たす記憶部と制御部を有していたりしてもよい。
【図面の簡単な説明】
【００６９】
【図１】本発明の第１の実施の形態による補助保管装置を示す斜視図。
【図２】本発明の第１の実施の形態による釣銭機システムの一方の硬貨投入用スリットがスリット蓋で覆われている態様を示す斜視図。
【図３】本発明の第１の実施の形態による補助保管装置の一方の硬貨投入用スリットがスリット蓋で覆われている態様を示す斜視図。
【図４】本発明の第１の実施の形態による釣銭機システムを示す概略構成図。
【図５】本発明の第１の実施の形態による釣銭機システムの他方の硬貨投入用スリットがスリット蓋で覆われている態様を示す斜視図。
【図６】本発明の第２の実施の形態による釣銭機システムを示す概略構成図。
【図７】本発明の第２の実施の形態による補助保管装置に収納された棒金を検知するためのセンサを示す概略縦断面図。
【図８】本発明の第３の実施の形態による釣銭機システムを示す概略構成図。
【図９】本発明の第３の実施の形態による釣銭機システムにおけるログを示す図。
【符号の説明】
【００７０】
１      補助保管装置
２      収納筐体
３      収納ドロア
５      棒金収納部
１０    補助収納部
１２ａ  紙葉類投入用スリット
１６，１７  硬貨収納部
１６ａ，１７ａ  硬貨投入用スリット
４０    制御部
４５    記憶部
５０    紙幣用釣銭機
５５    硬貨用釣銭機
５６    硬貨排出口（突出部）
６１，６２，６５  投入検知手段
６９    スリット蓋
７０    ＰＯＳレジスタ（外部装置）
【図１】
0005461672.tif 000002
【図２】
0005461672.tif 000003
【図３】
0005461672.tif 000004
【図４】
0005461672.tif 000005
【図５】
0005461672.tif 000006
【図６】
0005461672.tif 000007
【図７】
0005461672.tif 000008
【図８】
0005461672.tif 000009
【図９】
0005461672.tif 000010